(57)【要約】【課題】  水を溜めことと排水を簡単な操作で切り替えることを可能とする水切りトレーを実現する。【解決手段】  周縁に周壁部１０を立設するとともに、周壁部の一部を切り欠くことにより切り欠き箇所を溜まった水の排水口１１とし、トレーの底部を平坦箇所に接して載置した際にトレー表面が排水口方向に傾斜するように設定した盆状の水切りトレーにおいて、排水口の下端に脚部３０を垂設することによりトレーの底部および脚部の双方を平坦箇所に接して載置した際にトレー表面が排水口と逆方向に傾斜するようにする。  【選択図】      図１
2020069038.tif 000002
【特許請求の範囲】
【請求項１】
周縁に周壁部を立設するとともに、周壁部の一部を切り欠くことにより切り欠き箇所を溜まった水の排水口とし、トレーの底部を平坦箇所に接して載置した際にトレー表面が排水口方向に傾斜するように設定した盆状の水切りトレーにおいて、排水口の下端に脚部を垂設することによりトレーの底部および脚部の双方を平坦箇所に接して載置した際にトレー表面が排水口と逆方向に傾斜するようにしたことを特徴とする水切りトレー。
【請求項２】
水切りトレーを、板状のトレー板の上方周縁に上側周壁部を立設するとともに、下方周縁に下側周壁部を垂設し、上側周壁部の一部を切り欠くことにより切り欠き箇所を溜まった水の排水口とした構成とし、上記排水口の両側に位置する下側左右周壁部の高さを前方に向かって少なくすることにより、トレー板の下側周壁部の底部を平坦箇所に接して載置した際にトレー板表面が排水口方向に傾斜するようにするとともに、排水口の下端の脚部の高さをトレー板の下側後方周壁部の高さより高くすることによりトレー板の下側後方周壁部の底部および脚部の双方を平坦箇所に接して載置した際にトレー表面が排水口と逆方向に傾斜するようにした請求項１記載の水切りトレー。
【発明の詳細な説明】
【技術分野】
【０００１】
本願発明は台所において、水洗いをした後の食器やまな板、あるいは食材などの水を切るために使用するための水切りトレーに関する。
【背景技術】
【０００２】
台所の調理台（流し台）において水洗いをした後の食器やまな板、あるいは食材などは本来の保管場所に収容する前に水切りを行って乾燥させなければならない。そのために上記の水切り対象物を仮置きするとともに、それらに付着した水を切るための水切りトレーが広く使用されている。
【０００３】
前記の水切りトレーとしては、周縁に周壁部を立設するとともに、周壁部の一部を切り欠くことにより切り欠き箇所を溜まった水の排水口とし、トレーの底部を平坦箇所に接して載置した際にトレー表面が排水口方向に傾斜するように設定した盆状のものが公知である（特許文献１）。
【先行技術文献】
【特許文献】
【０００４】
【特許文献１】意匠登録第１５２３６３８号
【特許文献２】特許第５３１６１５０号公報
【発明の開示】
【発明が解決しようとする課題】
【０００５】
前記の水切りトレーはトレー上に水切り対象物や水切り対象物を収容したカゴを置くことにより、水切り対象物から落下した水がトレー上から排水口方向に流れ、排水口から排水されることになる。
【０００６】
よって、排水口から排水される水が調理台上に流れださないように、水切りトレーの使用にあたっては排水口をシンク際に位置させなければならなかった。
【０００７】
しかしながら、まな板を使った作業などシンク際で行う作業は多く、水切りトレーがシンク際を占領することは必ずしも好ましいことではなかった。
【０００８】
そのため、トレー表面が排水口方向に傾斜しないようにすることにより水切り対象物から落下した水をトレー上に溜めるようにした水切りトレーも提案されているが、溜まった水を排水するにはトレーから一旦水切り対象物を取り除いた後にトレーをシンク上で傾けて排水しなければならない煩わしさがあった。
【０００９】
一方、一つの水切りトレーを表裏に反転することにより、排水口から排水される水切りトレーと水をトレー上に溜めることができる水切りトレーの２種に使い分けることができる発明も提案されているが（特許文献２）、溜まった水を排水するにはトレーから一旦水切り対象物を取り除いた後にトレーをシンク上で傾けて排水しなければならない煩わしさは解消されていない。
【課題を解決するための手段】
【００１０】
本願発明は以上の従来技術の問題点を解消した水切りトレーを提供することを目的として創作されたものであり、周縁に周壁部を立設するとともに、周壁部の一部を切り欠くことにより切り欠き箇所を溜まった水の排水口とし、トレーの底部を平坦箇所に接して載置した際にトレー表面が排水口方向に傾斜するように設定した盆状の水切りトレーにおいて、排水口の下端に脚部を垂設することによりトレーの底部および脚部の双方を平坦箇所に接して載置した際にトレー表面が排水口と逆方向に傾斜するようにしたことを特徴とする。
【００１１】
また、請求項２記載の発明は、前記の水切りトレーにおいて、水切りトレーを板状のトレー板の上方周縁に上側周壁部を立設するとともに、下方周縁に下側周壁部を垂設し、上側周壁部の一部を切り欠くことにより切り欠き箇所を溜まった水の排水口とした構成とし、上記排水口の両側に位置する下側左右周壁部の高さを前方に向かって少なくすることにより、トレー板の下側周壁部の底部を平坦箇所に接して載置した際にトレー板表面が排水口方向に傾斜するようにするとともに、排水口の下端の脚部の高さをトレー板の下側後方周壁部の高さより高くすることによりトレー板の下側後方周壁部の底部および脚部の双方を平坦箇所に接して載置した際にトレー表面が排水口と逆方向に傾斜するようにしたことを特徴とする。
【発明の効果】
【００１２】
本願発明の水切りトレーによれば、図９に示すように排水口の下端に脚部を垂設することによりトレーの底部および脚部の双方を平坦箇所に接して調理台に載置すれば、トレー表面が排水口と逆方向に傾斜するので水切り対象物から落下した水はトレー上に溜められることになる。
【００１３】
一方、図１０に示すように水切りトレーの前方をシンク上に逃がして、脚部を除いたトレーの底部のみを調理台に載置すれば、トレー表面が排水口方向に傾斜するので、溜まった水は排水口からシンク内に排水される。
【００１４】
よって、本願発明の水切りトレーはシンク際に置かなくてもよいので、調理台やシンクでの作業の妨げとならず、排水に際しては水切りトレーをシンク際に移動させるだけで済むので一々水切り対象物を取り除く必要がなく使い勝手のよい水切りトレーが実現される。
【図面の簡単な説明】
【００１５】
【図１】本願発明の水切りトレーの斜視図。
【図２】同上、正面図。
【図３】同上、平面図。
【図４】同上、底面図。
【図５】同上、背面図。
【図６】同上、右側面図。
【図７】図３のＡ−Ａ線断面図。
【図８】図３のＢ−Ｂ線断面図。
【図９】本願発明の水切りトレーの使用状態を示す断面図。
【図１０】本願発明の水切りトレーの使用状態を示す断面図。
【発明を実施するための最良の形態】
【００１６】
以下、本願発明の水切りトレーの具体的実施例を添付図面に基づいて説明する。図１は水切りトレー１の全体を示す図である。水切りトレー１は周縁に周壁部を立設するとともに、周壁部の一部を切り欠くことにより切り欠き箇所を溜まった水の排水口とし、トレーの底部を平坦箇所に接して載置した際にトレー表面が排水口方向に傾斜するように設定した盆状の基本構成からなり、ここではプラスチックにより射出成形される。
【００１７】
図中符号２は水切り対象物を乗せる板状のトレー板であり、図中符号３は水切り対象物を板面から浮かして水はけをよくするためにトレー板上に複数本が突設されるリブである。
【００１８】
この実施例においては、前記板状のトレー板２の上方周縁には上側周壁部１０を立設するとともに、下方周縁には下側周壁部２０を垂設している。上側周壁部１０はトレー板１の後方に位置する上側後方周壁部１０Ａとトレー板の左右両側に位置する上側左右周壁部１０Ｂ、１０Ｂからなり、これらによりトレー板の三方を囲繞して水が溜まるようにしている。一方、トレー板２の後方に位置する上側周壁部を切り欠くことにより溜まった水の排水口１１としている。
【００１９】
下側周壁部２０はトレー板２の後方に位置する下側後方周壁部２０Ａとトレー板の左右両側に位置する下側左右周壁部２０Ｂ、２０Ｂからなり、これらにより水切りトレー１を載置する支えとしている。そして、前記下側左右周壁部２０Ｂ、２０Ｂの高さを前方に向かって少なくすることにより、トレー板２の下側周壁部２０の底部を平坦箇所に接して載置した際にトレー板表面が排水口１１方向に傾斜するようにしている。
【００２０】
図中符号３０は前記の排水口１１の下端に垂設される脚部である。上記脚部３０はその高さをトレー板２の下側後方周壁部２０Ａの高さより高くすることによりトレー板の下側後方周壁部の底部および脚部の双方を平坦箇所に接して載置した際にトレー板表面が排水口と逆方向に傾斜するようにしている。
【００２１】
図９はトレー板２の下側後方周壁部２０Ｂの底部および脚部３０の双方を平坦箇所（調理台Ｋ）に接して載置した状態を示す図である。この状態においてはトレー板表面が排水口１１と逆方向に傾斜するので、水切り対象物から落下した水はトレー上に溜められることとなる。
【００２２】
図１０は水切りトレー１の前方をシンクＳ上に逃がして、脚部３０を除いたトレー板２の下側後方周壁部２０Ｂの底部および下側左右周壁部２０Ｂ、２０Ｂのみを平坦箇所（調理台Ｋ）に接して載置した状態を示す図である。この状態においてはトレー板表面が排水口１１方向に傾斜するので、溜まった水は排水口からシンク内に排水されることとなる。
【符号の説明】
【００２３】
１      水切りトレー
２      トレー板
３      リブ
１０    上側周壁部
１０Ａ  上側後方周壁部
１０Ｂ  上側左右周壁部
１１    排水口
２０    下側周壁部
２０Ａ  下側後方周壁部
２０Ｂ  下側左右周壁部
３０    脚
【図１】
2020069038.tif 000003
【図２】
2020069038.tif 000004
【図３】
2020069038.tif 000005
【図４】
2020069038.tif 000006
【図５】
2020069038.tif 000007
【図６】
2020069038.tif 000008
【図７】
2020069038.tif 000009
【図８】
2020069038.tif 000010
【図９】
2020069038.tif 000011
【図１０】
2020069038.tif 000012